【手続補正書】
【提出日】平成17年2月17日(2005.2.17)
【手続補正１】
【補正対象書類名】明細書
【補正対象項目名】発明の名称
【補正方法】変更
【補正の内容】
【発明の名称】コンバータ装置およびコンバータシステム装置
【手続補正２】
【補正対象書類名】明細書
【補正対象項目名】特許請求の範囲
【補正方法】変更
【補正の内容】
【特許請求の範囲】
【請求項１】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ装置において、
前記第１の平滑用コンデンサと第２の平滑用コンデンサとの直列接続回路と並列に接続される第１の抵抗器と第２の抵抗器との直列接続回路と、
１入力端子と２出力端子を有する半導体スイッチング素子であって、前記第１の抵抗器と第２の抵抗器との接続部に前記入力端子が接続され、前記第１の平滑用コンデンサと第２の平滑用コンデンサとの接続部に一方の出力端子が接続される半導体スイッチング素子と、
該半導体スイッチング素子の他方の出力端子と前記直流出力部の正極側との間に接続される第３の抵抗器と、
前記第１の平滑用コンデンサと第２の平滑用コンデンサとの接続部と前記直流出力部の負極側との間に接続される負荷と、を備えることを特徴とするコンバータ装置。
【請求項２】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ装置において、
前記第１の平滑用コンデンサと第２の平滑用コンデンサとの直列接続回路と並列に接続される第１の抵抗器と第２の抵抗器との直列接続回路と、
１入力端子と２出力端子を有する半導体スイッチング素子であって、前記第１の抵抗器と第２の抵抗器との接続部に前記入力端子が接続され、前記第１の平滑用コンデンサと第２の平滑用コンデンサとの接続部に一方の出力端子が接続される半導体スイッチング素子と、
該半導体スイッチング素子の他方の出力端子と前記直流出力部の負極側との間に接続される第３の抵抗器と、
前記第１の平滑用コンデンサと第２の平滑用コンデンサとの接続部と前記直流出力部の正極側との間に接続される負荷と、を備えることを特徴とするコンバータ装置。
【請求項３】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ装置において、
１入力端子と２出力端子を有する半導体スイッチング素子であって、前記第１の平滑用コンデンサと第２の平滑用コンデンサとの接続部に一方の出力端子が接続される半導体スイッチング素子と、
該半導体スイッチング素子の他方の出力端子と前記直流出力部の正極側との間に接続される抵抗器と、
前記第１の平滑用コンデンサと第２の平滑用コンデンサとの接続部と前記直流出力部の負極側との間に接続される負荷と、
前記半導体スイッチング素子の導通状態を調整して前記第１の平滑用コンデンサと第２の平滑用コンデンサとの接続部を所定電圧に制御する調整手段を備えたことを特徴とするコンバータ装置。
【請求項４】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ装置において、
１入力端子と２出力端子を有する半導体スイッチング素子であって、前記第１の平滑用コンデンサと第２の平滑用コンデンサとの接続部に一方の出力端子が接続される半導体スイッチング素子と、
該半導体スイッチング素子の他方の出力端子と前記直流出力部の負極側との間に接続される抵抗器と、
前記第１の平滑用コンデンサと第２の平滑用コンデンサとの接続部と前記直流出力部の正極側との間に接続される負荷と、
前記半導体スイッチング素子の導通状態を調整して前記第１の平滑用コンデンサと第２の平滑用コンデンサとの接続部を所定電圧に制御する調整手段を備えたことを特徴とするコンバータ装置。
【請求項５】
前記半導体スイッチング素子が半導通状態となって前記第１の平滑用コンデンサと第２の平滑用コンデンサとの接続部を所定電圧で平衡させることを特徴とする請求項３に記載のコンバータ装置。
【請求項６】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ部と、前記直流出力部の正極側と負極側との間に接続したスイッチング電源回路部を備えるコンバータシステム装置において、
前記第１の平滑用コンデンサと第２の平滑用コンデンサとの直列接続回路と並列に接続される第１の抵抗器と第２の抵抗器との抵抗直列接続回路であって、前記スイッチング電源回路部の起動用抵抗を兼ねる抵抗直列接続回路と、
１入力端子と２出力端子を有する半導体スイッチング素子であって、前記第１の抵抗器と第２の抵抗器との接続部に前記入力端子が接続され、前記第１の平滑用コンデンサと第２の平滑用コンデンサとの接続部に一方の出力端子が接続される半導体スイッチング素子と、
該半導体スイッチング素子の他方の出力端子と前記直流出力部の正極側との間に接続される第３の抵抗器と、
前記第１の平滑用コンデンサと第２の平滑用コンデンサとの接続部と前記直流出力部の負極側との間に接続される負荷を備えることを特徴とするコンバータシステム装置。
【請求項７】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ部と、前記直流出力部の正極側と負極側との間に接続されインバータ部を備えたコンバータシステム装置において、
前記第１の平滑用コンデンサと第２の平滑用コンデンサとの直列接続回路と並列に接続される第１の抵抗器と第２の抵抗器との直列接続回路と、
１入力端子と２出力端子を有する半導体スイッチング素子であって、前記第１の抵抗器と第２の抵抗器との接続部に前記入力端子が接続され、前記第１の平滑用コンデンサと第２の平滑用コンデンサとの接続部に一方の出力端子が接続される半導体スイッチング素子と、
該半導体スイッチング素子の他方の出力端子と前記直流出力部の正極側との間に接続される第３の抵抗器と、
前記第１の平滑用コンデンサと第２の平滑用コンデンサとの接続部と前記直流出力部の負極側との間に接続される負荷を備えることを特徴とするコンバータシステム装置。
【請求項８】
交流入力電圧を直流電圧に変換する整流用半導体素子群の直流出力部の正極側と負極側との間に、正極側に配置した第１の平滑用コンデンサと負極側に配置した第２の平滑用コンデンサとの直列接続回路を接続したコンバータ部と、前記直流出力部の正極側と負極側との間に接続されインバータ部を備えたコンバータシステム装置において、
１入力端子と２出力端子を有する半導体スイッチング素子であって、前記第１の平滑用コンデンサと第２の平滑用コンデンサとの接続部に一方の出力端子が接続される半導体スイッチング素子と、
該半導体スイッチング素子の他方の出力端子と前記直流出力部の正極側との間に接続される抵抗器と、
前記第１の平滑用コンデンサと第２の平滑用コンデンサとの接続部と前記直流出力部の負極側との間に接続される負荷と、
前記半導体スイッチング素子の導通状態を調整して前記第１の平滑用コンデンサと第２の平滑用コンデンサとの接続部を所定電圧に制御する調整手段を備えたことを特徴とするコンバータシステム装置。
【請求項９】
前記半導体スイッチング素子が半導通状態となって前記第１の平滑用コンデンサと第２の平滑用コンデンサとの接続部を所定電圧で平衡させることを特徴とする請求項８に記載のコンバータシステム装置。
【請求項１０】
前記第１の平滑用コンデンサまたは第２の平滑用コンデンサの端子間電圧が所定値を越えるとインバータ部動作を停止させる保護手段を備えたことを特徴とする請求項７ないし請求項９のいずれか１項に記載のコンバータシステム装置。
【手続補正３】
【補正対象書類名】明細書
【補正対象項目名】００１２
【補正方法】変更
【補正の内容】
【００１２】
さらに、本発明によれば、前記第１の平滑用コンデンサと第２の平滑用コンデンサとの直列接続回路と並列に接続されるインバータ装置と、前記第１の平滑用コンデンサと第２の平滑用コンデンサのそれぞれの端子間電圧を検出する電圧検出回路と、該両平滑用コンデンサの端子間電圧の少なくとも一方の電圧値が設定値を越えたことを判別して前記インバータ装置のインバータ動作を停止する保護手段と、を備えることを特徴としている。
【手続補正４】
【補正対象書類名】明細書
【補正対象項目名】００１３
【補正方法】変更
【補正の内容】
【００１３】
そして、本発明によれば、交流入力電圧を直流電圧に変換する整流用半導体素子群の直流出力部の正極側と負極側との間に、第１の平滑用コンデンサと第２の平滑用コンデンサとの直列接続回路を接続したコンバータ装置であって、前記第１の平滑用コンデンサと第２の平滑用コンデンサとの直列接続回路と並列に接続される第１の抵抗器と第２の抵抗器との直列接続回路と、１入力端子と２出力端子を有する半導体スイッチング素子であって、前記第１の抵抗器と第２の抵抗器との接続部に前記入力端子が接続され、前記第１の平滑用コンデンサと第２の平滑用コンデンサとの接続部に一方の出力端子が接続される半導体スイッチング素子と、該半導体スイッチング素子の他方の出力端子と前記直流出力部の正極側との間に接続される第３の抵抗器と、および、前記第１の平滑用コンデンサと第２の平滑用コンデンサとの接続部と前記直流出力部の負極側との間に接続される負荷と、を備えるコンバータ装置において、前記負荷がスイッチング電源回路を含んでおり、前記第１の抵抗器と第２の抵抗器との直列接続回路が該スイッチング電源回路の起動用抵抗を兼ねていることを特徴としている。
【手続補正５】
【補正対象書類名】明細書
【補正対象項目名】００１４
【補正方法】変更
【補正の内容】
【００１４】
そして本発明によれば、請求項１又は２記載のコンバータ装置において、スイッチング電源回路が前記整流用半導体素子群の直流出力部の正極側と負極側との間に接続され、前記第１の抵抗器と第２の抵抗器との直列接続回路が該スイッチング電源回路の起動用抵抗を兼ねていることを特徴としている。